(57)【要約】【課題】放射線撮像装置による静止画撮影において、放射線の照射からプレビュー画像表示までの時間短縮を行うとともに、残像の少ない安定した放射線画像を表示する。【解決手段】放射線を照射して被写体を透過した放射線に基づく放射線画像を撮影し（ＳＴ２０６）、この放射線画像を撮影する前に放射線が非照射状態で第１のオフセット画像を撮影し（ＳＴ２０３）、放射線画像を第１のオフセット画像を用いてオフセット補正をしてプレビュー画像表示に供する第１のオフセット補正画像とし（ＳＴ２０７）、放射線画像を撮影した後に放射線が非照射状態で第２のオフセット画像を撮影し（ＳＴ２０９）、放射線画像を第２のオフセット画像を用いてオフセット補正をして本画像表示に供する第２のオフセット補正画像とし（ＳＴ２１０）、そして、一連の放射線画像の撮影が終了するまで、第１のオフセット画像の撮影（ＳＴ２０３）を行わない。【選択図】図２
2012152340.tif 000002
【特許請求の範囲】
【請求項１】
被写体に対して放射線を照射する放射線発生手段と、
前記放射線発生手段から照射され、被写体を透過した放射線を検出する検出手段と、
前記放射線発生手段から放射線を照射して被写体を透過した放射線に基づく放射線画像を前記検出手段を用いて撮影する放射線画像撮影手段と、
前記放射線画像を撮影する前に、前記放射線発生手段からの放射線が非照射状態で第１のオフセット画像を前記検出手段を用いて撮影する第１のオフセット画像撮影手段と、
前記放射線画像を前記第１のオフセット画像を用いてオフセット補正をして、プレビュー画像表示に供する第１のオフセット補正画像とする第１のオフセット補正手段と、
前記放射線画像を撮影した後に、前記放射線発生手段からの放射線が非照射状態で第２のオフセット画像を前記検出手段を用いて撮影する第２のオフセット画像撮影手段と、
前記放射線画像を前記第２のオフセット画像を用いてオフセット補正をして、本画像表示に供する第２のオフセット補正画像とする第２のオフセット補正手段と
を有し、
前記第１のオフセット画像撮影手段は、一連の前記放射線画像の撮影が終了するまで、前記第１のオフセット画像の撮影を行わないことを特徴とする放射線撮像装置。
【請求項２】
前記第１のオフセット画像撮影手段は、撮影条件が設定されたタイミングで前記第１のオフセット画像の撮影を行うことを特徴とする請求項１に記載の放射線撮像装置。
【請求項３】
前記第１のオフセット補正手段は、前記放射線画像の撮影直後に前記第１のオフセット画像を用いてオフセット補正を行い、
前記第２のオフセット補正手段は、前記第２のオフセット画像の撮影直後に前記第２のオフセット画像を用いてオフセット補正を行うことを特徴とする請求項１又は２に記載の放射線撮像装置。
【請求項４】
被写体に対して放射線を照射する放射線発生手段と、
前記放射線発生手段から照射され、被写体を透過した放射線を検出する検出手段と
を含み構成される放射線撮像装置による放射線撮像方法であって、
前記放射線発生手段から放射線を照射して被写体を透過した放射線に基づく放射線画像を前記検出手段を用いて撮影する放射線画像撮影ステップと、
前記放射線画像を撮影する前に、前記放射線発生手段からの放射線が非照射状態で第１のオフセット画像を前記検出手段を用いて撮影する第１のオフセット画像撮影ステップと、
前記放射線画像を前記第１のオフセット画像を用いてオフセット補正をして、プレビュー画像表示に供する第１のオフセット補正画像とする第１のオフセット補正ステップと、
前記放射線画像を撮影した後に、前記放射線発生手段からの放射線が非照射状態で第２のオフセット画像を前記検出手段を用いて撮影する第２のオフセット画像撮影ステップと、
前記放射線画像を前記第２のオフセット画像を用いてオフセット補正をして、本画像表示に供する第２のオフセット補正画像とする第２のオフセット補正ステップと
を有し、
前記第１のオフセット画像撮影ステップでは、一連の前記放射線画像の撮影が終了するまで、前記第１のオフセット画像の撮影を行わないことを特徴とする放射線撮像方法。
【請求項５】
被写体に対して放射線を照射する放射線発生手段と、
前記放射線発生手段から照射され、被写体を透過した放射線を検出する検出手段と
を含み構成される放射線撮像装置による放射線撮像方法をコンピュータに実行させるためのプログラムであって、
前記放射線発生手段から放射線を照射して被写体を透過した放射線に基づく放射線画像を前記検出手段を用いて撮影する放射線画像撮影ステップと、
前記放射線画像を撮影する前に、前記放射線発生手段からの放射線が非照射状態で第１のオフセット画像を前記検出手段を用いて撮影する第１のオフセット画像撮影ステップと、
前記放射線画像を前記第１のオフセット画像を用いてオフセット補正をして、プレビュー画像表示に供する第１のオフセット補正画像とする第１のオフセット補正ステップと、
前記放射線画像を撮影した後に、前記放射線発生手段からの放射線が非照射状態で第２のオフセット画像を前記検出手段を用いて撮影する第２のオフセット画像撮影ステップと、
前記放射線画像を前記第２のオフセット画像を用いてオフセット補正をして、本画像表示に供する第２のオフセット補正画像とする第２のオフセット補正ステップと
をコンピュータに実行させ、
前記第１のオフセット画像撮影ステップでは、一連の前記放射線画像の撮影が終了するまで、前記第１のオフセット画像の撮影を行わないことを特徴とするプログラム。
【発明の詳細な説明】
【技術分野】
【０００１】
本発明は、放射線撮像装置、放射線撮像方法及びプログラムに関し、特に、マトリクス状に配列された複数の放射線検出素子により放射線を電気信号に変換して検出する放射線撮像装置等に用いて好適なものである。なお、本明細書では、放射線として特にＸ線を適用した例について説明するが、放射線は、Ｘ線に限られず、電磁波や、α線、β線、γ線などであっても良い。
【背景技術】
【０００２】
従来、医療におけるＸ線の静止画撮影系においては、被写体である患者にＸ線を照射し、患者を透過したＸ線像をフィルムに露光するフィルム方式が主流になっていた。フィルムは、情報を表示及び記録する機能を有し、大面積化でき、階調性が高く、しかも軽量で取り扱いが容易であるため、世界中に普及している。反面、現像工程を要する煩雑さ、長期にわたる保管場所、検索に人手と時間を要する等の問題点を有している。
【０００３】
現在、病院内等においてＸ線画像のディジタル化の要求が高っており、フィルムの替わりに、固体撮像素子を２次元マトリクス状に配置したＸ線検出装置を用いて、Ｘ線量を電気信号に変換するＸ線検出器（ＦＰＤ：Flat Panel Detector）が普及している。これは、Ｘ線画像をディジタル情報に置き換えることができるため、画像情報を遠方に、しかも瞬時に伝送することが可能になり、Ｘ線画像の情報を伝送することで遠方にいながら都心の大学病院に匹敵する高度な診断を受けることが可能になるという長所がある。また、フィルムを用いないことで病院内でのフィルムの保管スペースが省ける長所もある。将来的には、優れた画像処理技術の導入により、放射線医師を介さず、コンピュータを用いた自動診断化の可能性が大いに期待されている。
【０００４】
このような放射線撮像装置は、放射線に基づく光を電気信号に変換する複数の光電変換素子がマトリクス状に配列された光電変換回路と、変換して得られた電気信号を光電変換回路から読み出すための読み出し回路とを有している。そして、被写体にＸ線が照射されると、その透過Ｘ線に係る光電変換が光電変換回路の各光電変換素子において行われ、各光電変換素子に透過Ｘ線量に対応した信号電荷が蓄積される。そして、光電変換回路の各信号線を駆動して光電変換素子が接続されたスイッチ素子を適宜制御することにより、各光電変換素子に蓄積されている信号電荷を読み出し回路に電気信号として順次読み出し、さらに増幅して出力する。
【０００５】
以上のように動作させることで、読み出し回路から出力される電気信号により被写体画像を読み取ることができるが、実際にそのままの画像（画像に係る読み出し回路から出力される電気信号）には光電変換回路や読み出し回路で生成されるオフセットが含まれる。このオフセットの要因にはいくつかあり、（Ａ）光電変換素子のダーク電流、（Ｂ）スイッチ素子のリーク電流、（Ｃ）読み出し回路のアンプのオフセット電圧等がある。ここで、Ｘ線を照射して得られた画像は、上述したようにオフセットが含まれているのでオフセット成分を取り除かなければならず、その処理をオフセット補正という。
図４は、従来のオフセット補正におけるタイムチャートの一例を示す模式図である。以下、図４を用いて説明する。
【０００６】
静止画を撮影する場合には、操作者がタイムチャートＴＣ０３に示すタイミングでＸ線曝射を行うと、タイムチャートＴＣ０４に示すタイミングでセンサは、Ｘ線画像を取得し（図４のＸ）、その後、Ｘ線を非照射の状態でオフセット画像を取得する（図４のＦ）。タイムチャートＴＣ０５に示すタイミングでは、Ｘ線画像からオフセット画像を差し引いてオフセット補正を行い、タイムチャートＴＣ０７に示すタイミングで操作者が撮影の成功／失敗を判断するプレビュー画像を表示する操作を行う。更に、タイムチャートＴＣ０６に示すタイミングで実際の診断に用いるための画像解析を行い、これが終了すると、タイムチャートＴＣ０８に示すタイミングで診断に用いる画像を表示する。
【０００７】
前述のオフセット補正方法では、Ｘ線の照射後にプレビュー画像表示用のオフセット画像を取得しているため、Ｘ線照射からプレビュー画像表示までの時間（図４のＴ６）が長いという課題がある。これを解決するために、オフセット画像を、Ｘ線照射、ビデオカメラ等の撮影前に取得する方法が特許文献１に記載されており、この方法では定期的にオフセット画像を取得し続け、実際の補正に用いるオフセット画像は、撮影に最も近いタイミングで取得されたものである。
しかしながら、連続したＸ線撮影の２枚目以降の撮影では、前のＸ線撮影の残像がオフセット画像に重畳して画像アーチファクトとなってしまう課題がある。
【先行技術文献】
【特許文献】
【０００８】
【特許文献１】特許第３１９０３２８号公報
【発明の概要】
【発明が解決しようとする課題】
【０００９】
本発明は、このような問題点に鑑みてなされたものであり、放射線撮像装置による静止画撮影において、放射線の照射からプレビュー画像表示までの時間短縮を行うとともに、残像の少ない安定した放射線画像を表示することを目的とする。
【課題を解決するための手段】
【００１０】
本発明の放射線撮像装置は、被写体に対して放射線を照射する放射線発生手段と、前記放射線発生手段から照射され、被写体を透過した放射線を検出する検出手段と、前記放射線発生手段から放射線を照射して被写体を透過した放射線に基づく放射線画像を前記検出手段を用いて撮影する放射線画像撮影手段と、前記放射線画像を撮影する前に、前記放射線発生手段からの放射線が非照射状態で第１のオフセット画像を前記検出手段を用いて撮影する第１のオフセット画像撮影手段と、前記放射線画像を前記第１のオフセット画像を用いてオフセット補正をして、プレビュー画像表示に供する第１のオフセット補正画像とする第１のオフセット補正手段と、前記放射線画像を撮影した後に、前記放射線発生手段からの放射線が非照射状態で第２のオフセット画像を前記検出手段を用いて撮影する第２のオフセット画像撮影手段と、前記放射線画像を前記第２のオフセット画像を用いてオフセット補正をして、本画像表示に供する第２のオフセット補正画像とする第２のオフセット補正手段とを有し、前記第１のオフセット画像撮影手段は、一連の前記放射線画像の撮影が終了するまで、前記第１のオフセット画像の撮影を行わない。
また、本発明は、上述した放射線撮像装置による放射線撮像方法、及び、当該放射線撮像方法をコンピュータに実行させるためのプログラムを含む。
【発明の効果】
【００１１】
本発明によれば、放射線画像を撮影する前に第１のオフセット画像を取得し、その後に取得された放射線画像を第１のオフセット画像で補正してプレビュー画像表示することで、放射線の照射からプレビュー画像表示までの時間を短縮することが可能になる。また、一連の放射線画像の撮影の実施中には第１のオフセット画像を更新しないことにより、残像の少ない安定した放射線画像を表示することができる。
【図面の簡単な説明】
【００１２】
【図１】本発明の実施形態に係る放射線撮像装置の概略構成の一例を示すブロック図である。
【図２】本発明の実施形態に係る放射線撮像装置による放射線撮像方法における処理手順の一例を示すフローチャートである。
【図３】本発明の実施形態に係る放射線撮像装置による放射線撮像方法における処理手順の他の一例を示すフローチャートである。
【図４】従来のオフセット補正におけるタイムチャートの一例を示す模式図である。
【発明を実施するための形態】
【００１３】
以下に、図面を参照しながら、本発明を実施するための形態（実施形態）について説明する。
【００１４】
以下においては、図面を用いて、本発明の実施形態における放射線撮像装置の構成要素と各機能を説明する。
図１は、本発明の実施形態に係る放射線撮像装置の概略構成の一例を示すブロック図である。
【００１５】
図１に示すように、本実施形態に係る放射線撮像装置１１１は、照射操作部１０８と、Ｘ線発生部１１２と、制御部１１３と、Ｘ線検出部１０１と、操作入力部１０９と、表示部１１０と、プログラム保存部１１５を有して構成されている。また、制御部１１３は、タイミング制御部１０７と、画像処理部１０６で構成されている。さらに、画像処理部１０６は、第１のオフセット画像データ保存部１０２、Ｘ線画像データ保存部１０３、第２のオフセット画像データ保存部１０４、オフセット補正部１０５が機能構成として含まれている。
【００１６】
Ｘ線発生部（放射線発生部）１１２は、照射操作部１０８の操作によって、被写体（被検者）１１４に対してＸ線（放射線）１１２ａを発生させて照射することができるものであり、例えば、Ｘ線管球で構成されている。この照射操作部１０８には、Ｘ線発生部１１２からＸ線１１２ａを発生させて照射するための照射スイッチ１０８ａが含まれている。
【００１７】
制御部１１３は、例えば、プログラム保存部１１５に記憶されているプログラム等を読み出し、これに基づいて放射線撮像装置１１１の全体の制御を行う。特に、本実施形態において、制御部１１３は、プログラム保存部１１５に記憶されているプログラム等に基づいて、１０２〜１０５に示される画像処理部１０６の各機能構成における処理を実現する。
【００１８】
ここで、放射線撮像装置１１１は、Ｘ線検出部（放射線検出部）１０１における電荷の蓄積中に、Ｘ線発生部１１２からＸ線１１２ａを照射する。その後、Ｘ線検出部１０１から電荷の読み出しを行うことにより、被写体１１４を透過したＸ線（放射線）に基づくＸ線画像（放射線画像）の撮影処理を行う。
また、オフセット画像撮影時は、Ｘ線発生部１１２からのＸ線１１２ａが非照射の状態でＸ線検出部１０１の電荷の蓄積を行い、その後、Ｘ線検出部１０１から電荷の読み出しを行うことにより、オフセット画像の撮影処理を行う。
【００１９】
タイミング制御部１０７は、操作入力部１０９から送信された情報を受信してＸ線検出部１０１にオフセット画像を取得させ、このオフセット画像のデータを第１のオフセット画像データ保存部１０２に保存する。この第１のオフセット画像データ保存部１０２に保存されたオフセット画像データは、一連の撮影が終了するまで更新されない。ここで、一連の撮影とは、例えば、一患者の全撮影を意味し、また、一患者中でも特定の手技の撮影（例、頸椎複数枚撮影など）を意味するものでも良い。その後、照射スイッチ１０８ａが押下されたタイミングで照射操作部１０８から送信された情報を、タイミング制御部１０７が受信する。
【００２０】
タイミング制御部１０７は、Ｘ線検出部１０１に対してＸ線画像の撮影により取得させ、このＸ線画像のデータをＸ線画像データ保存部（放射線画像データ保存部）１０３に保存する。そして、第１のオフセット画像データ保存部１０２に保存されたオフセット画像データを用いて、Ｘ線画像データ保存部１０３に保存されたＸ線画像データをオフセット補正部１０５でオフセット補正を行う。このオフセット補正データに基づくオフセット補正画像は、操作入力部１０９を介して表示部１１０で画像表示される。
【００２１】
Ｘ線検出部１０１によりＸ線画像取得後、タイミング制御部１０７によりＸ線検出部１０１にオフセット画像を取得させ、このオフセット画像のデータを第２のオフセット画像データ保存部１０４に保存する。そして、Ｘ線画像データ保存部１０３に保存されたＸ線画像データを、第２のオフセット画像データ保存部１０４に保存されたオフセット画像データを用いてオフセット補正部１０５でオフセット補正を行う。このオフセット補正データに基づくオフセット補正画像は、操作入力部１０９に送信されて画像補正され、表示部１１０に表示される。
【００２２】
Ｘ線検出部１０１は、制御部１１３の制御に基づいて、Ｘ線１１２ａがＸ線発生部１１２から照射され、被写体１１４を透過したＸ線１１２ａを電気信号（電荷）として検出する。また、Ｘ線検出部１０１は、制御部１１３の制御に基づいて、Ｘ線発生部１１２からのＸ線１１２ａを非照射の状態、即ちオフセット状態での電気信号（電荷）を検出する。
【００２３】
このＸ線検出部１０１には、例えば、光電変換素子とＴＦＴとを含む画素が２次元状に配列されており、この場合、各画素上には、例えば蛍光体が設けられて形成される。そして、この場合、Ｘ線検出部１０１に入射したＸ線１１２ａは蛍光体で可視光に変換され、変換された可視光が各画素の光電変換素子に入射し、各光電変換素子において、可視光に応じた電荷が生成される。なお、本実施形態では、上述した蛍光体及び光電変換素子によって、入射したＸ線を電荷に変換する「変換素子」を構成する形態であるが、例えば蛍光体を設けずに、入射したＸ線１１２ａを直接電荷に変換する、いわゆる直接変換型の変換素子を構成する形態であっても良い。したがって、以降の説明においては、Ｘ線検出部１０１に、「変換素子」が２次元状に配列されているものとして説明を行う。また、既に背景技術で説明したように、Ｘ線検出部１０１は、各変換素子の電荷の蓄積と電荷の読み出しを交互に繰り返して、Ｘ線画像及びオフセット画像を撮影することができるものである。
【００２４】
操作入力部１０９は、撮影モードの設定及び被写体１１４の撮影開始の指示を行い、制御部１１３との情報の送受信の制御を行う。操作入力部１０９は、例えばコンピュータや操作者が操作可能な媒体でもかまわない。撮影モードは、例えば、患者情報、撮影部位の設定、撮影部（Ｘ線検出部１０１）の設定、Ｘ線発生部１１２の設定でも構わない。
【００２５】
表示部１１０は、制御部１１３及び操作入力部１０９から送信された画像データに基づいて、Ｘ線検出部１０１から読み出された電荷に基づくＸ線画像や、操作ＵＩ等を表示するものである。
【００２６】
プログラム保存部１１５には、放射線撮像装置１１１の制御に必要なプログラム等が保存されている。
【００２７】
図１において、制御部１１３は、照射スイッチ１０８ａが操作されオンとなると、Ｘ線発生部１１２からＸ線１１２ａが照射されるように制御する。また、制御部１１３は、Ｘ線１１２ａの照射に同期して、Ｘ線検出部１０１から、被写体（被検者）１１４を透過したＸ線１１２ａに基づく電荷を読み出してＸ線画像を生成する。そして、オフセット補正処理を含む画像処理を行った後、当該Ｘ線画像を、操作入力部１０９を介して表示部１１０に表示する。
【００２８】
次に、本実施形態に係る放射線撮像装置１１１の処理手順について説明する。
図２は、本発明の実施形態に係る放射線撮像装置１１１による放射線撮像方法における処理手順の一例を示すフローチャートである。
【００２９】
まず、ステップＳＴ２０１において、例えば、操作入力部１０９に組み込まれたソフトにより被写体（被験者）の設定やＩＤの登録を行う。その後、このソフトにより、ステップＳＴ２０２の設定項目に進む。
【００３０】
ステップＳＴ２０２に進むと、操作入力部１０９のソフトにより被写体１１４の撮影部位の設定を行い、タイミング制御部１０７に部位設定完了の撮影モードコマンドを送信する。ここで、撮影モードは、センサの駆動モードや、場合によりセンサの状態を表す。タイミング制御部１０７は、操作入力部１０９からのコマンドの受信が完了次第、操作入力部１０９に受信完了のコマンドを送信する。
【００３１】
続いて、ステップＳＴ２０３において、タイミング制御部１０７は、Ｘ線検出部１０１に撮影開始のための信号を送信し、Ｘ線検出部１０１は、この信号の受信が完了次第、Ｘ線発生部１１２の非照射状態による電荷の蓄積を開始する。即ち、本実施形態では、Ｘ線画像を撮影（ＳＴ２０６）する前に、Ｘ線発生部１１２からのＸ線１１２ａが非照射状態で第１のオフセット画像をＸ線検出部１０１を用いて撮影する（第１のオフセット画像撮影ステップ）。次に、電荷の蓄積が完了次第、Ｘ線検出部１０１は、この第１のオフセット画像データを第１のオフセット画像データ保存部１０２に送信して保存する。そして、操作入力部１０９のソフトにより、次の設定項目に進む。
【００３２】
ステップＳＴ２０４に進むと、操作入力部１０９のソフトにより撮影条件の設定及びタイミング制御部１０７へのコマンド送信を行う。その後、ソフトは撮影準備が完了し、撮影開始待ちの状態に移る。
【００３３】
続いて、ステップＳＴ２０５において、照射スイッチ１０８ａを押下することにより、放射開始の要求信号がタイミング制御部１０７に送信され、タイミング制御部１０７は、Ｘ線検出部１０１にＸ線画像の撮影開始のための信号を送信する。Ｘ線検出部１０１は、この信号の受信が完了次第、タイミング制御部１０７にＸ線１１２ａの放射開始のための許可信号を送信する。そして、タイミング制御部１０７は、この許可信号を照射操作部１０８に送信し、Ｘ線発生部１１２によるＸ線１１２ａの放射を開始させ、ステップＳＴ２０６のＸ線画像の撮影が開始される。
【００３４】
続いて、ステップＳＴ２０６において、Ｘ線検出部１０１は、電荷の蓄積を行って、Ｘ線画像の撮影を行う（放射線画像撮影ステップ）。次に、Ｘ線検出部１０１による電荷の蓄積が完了次第、Ｘ線検出部１０１は、Ｘ線画像データをＸ線画像データ保存部１０３に送信して保存する。そして、第１のオフセット画像データ保存部１０２とＸ線画像データ保存部１０３に保存された画像データをオフセット補正部１０５に送信する。
【００３５】
続いて、ステップＳＴ２０７において、オフセット補正部１０５は、Ｘ線画像データ保存部１０３から受信したＸ線画像データから、第１のオフセット画像データ保存部１０２から受信した第１のオフセット画像データを減算する。このステップＳＴ２０７により、プレビュー画像表示に供する第１のオフセット補正画像とする第１のオフセット補正がなされる（第１のオフセット補正ステップ）。この第１のオフセット補正は、Ｘ線画像の撮影直後になされる。
【００３６】
続いて、ステップＳＴ２０８において、オフセット補正部１０５により第１のオフセット補正をした第１のオフセット補正画像データを操作入力部１０９に送信する。そして、操作入力部１０９は、第１のオフセット補正画像データを画像補正し、画像補正した第１のオフセット補正画像データを表示部１１０に送信する。表示部１１０は、受信した第１のオフセット補正画像データに基づく第１のオフセット補正画像をプレビュー画像表示する。
【００３７】
続いて、ステップＳＴ２０９において、ステップＳＴ２０６のＸ線画像撮影を撮影した後に、Ｘ線検出部１０１は、Ｘ線発生部１１２からのＸ線１１２ａが非照射状態で第２のオフセット画像の撮影を行う（第２のオフセット画像撮影ステップ）。次いで、Ｘ線検出部１０１は、この第２のオフセット画像データを第２のオフセット画像データ保存部１０４に送信して保存する。
【００３８】
続いて、ステップＳＴ２１０において、ステップＳＴ２０６でＸ線画像データ保存部１０３に保存されたＸ線画像データと、第２のオフセット画像データ保存部１０４に保存されたオフセット画像データをオフセット補正部１０５に送信する。そして、オフセット補正部１０５は、Ｘ線画像データ保存部１０３から受信されたＸ線画像データから、第２のオフセット画像データ保存部１０４に保存されたオフセット画像データを減算する。このステップＳＴ２１０により、本画像表示に供する第２のオフセット補正画像とする第２のオフセット補正がなされる（第２のオフセット補正ステップ）。この第２のオフセット補正は、第２のオフセット画像の撮影直後になされる。
【００３９】
続いて、ステップＳＴ２１１において、ステップＳＴ２０８と同様に、オフセット補正部１０５によりオフセット補正をしたオフセット補正画像を、操作入力部１０９を介して表示部１１０に本画像表示する。その後、ステップＳＴ２１２に進む。
【００４０】
ステップＳＴ２１２に進むと、例えば制御部１１３は、同被写体（一患者）１１４の撮影が終了したか否かを判断する。この判断の結果、同被写体（一患者）１１４の撮影が終了していない場合には、ステップＳＴ２１３に進む。
【００４１】
一方、ステップＳＴ２１２の判断の結果、同被写体（一患者）１１４の撮影が終了した場合には、ステップＳＴ２１６に進み、撮影終了又は他の被写体１１４の撮影に移る。
【００４２】
ステップＳＴ２１３において、例えば操作入力部１０９のソフトは、同被写体（同患者）１１４の撮影が継続しているか否かを判断する。この判断の結果、同被写体（同患者）１１４の撮影が継続している場合には、ステップＳＴ２１４の撮影部位の設定の処理に進む。この際、前回Ｘ線撮影の残像の影響を抑えるために、ステップＳＴ２０３の処理は、再度実施しない。即ち、一連のＸ線画像の撮影が終了するまで、第１のオフセット画像の撮影は行わない。
【００４３】
一方、ステップＳＴ２１３の判断の結果、他の被写体１１４に変更されている場合には、ステップＳＴ２１６に移り、同被写体１１４の撮影を終了するか、他の被写体の撮影に移る。
【００４４】
また、ステップＳＴ２１４及びＳＴ２１５において、例えば操作入力部１０９のソフトは、同被写体１１４で撮影を継続して行う処理をし、撮影部位の設定及び撮影モード（撮影条件）の設定を行って、ステップＳＴ２０５に戻り、次のＸ線画像撮影に備える。
【００４５】
本実施形態では、ステップＳＴ２０３の第１のオフセット画像の撮影をステップＳＴ２０２の撮影部位の設定の後に実行している。しかしながら、例えば、図３に示すように、ステップＳＴ３０３の撮影条件の設定及びタイミング制御部１０７へのコマンド送信の後に、第１のオフセット画像の撮影／保存（ＳＴ３０４）を実施しても良い。即ち、撮影条件が設定されたタイミングで第１のオフセット画像の撮影を行うようにしても良い。なお、図３において、図２と同一のステップについては、同一のステップ番号を付しており、その説明は省略する。
【００４６】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【符号の説明】
【００４７】
１０１  Ｘ線検出部、１０８  照射操作部、１０９  操作入力部、１１０  表示部、１１１  放射線撮像装置、１１２  Ｘ線発生部、１１３  制御部、１１４  被写体、１１５  プログラム保存部
【図１】
2012152340.tif 000003
【図２】
2012152340.tif 000004
【図３】
2012152340.tif 000005
【図４】
2012152340.tif 000006